(57)【要約】【課題】背もたれ部におけるねじの露出を少なくし、汚れの付着を抑制する。【解決手段】浴室用椅子１は、背もたれ部１０と、背もたれ部１０を支持するフレーム５とを備え、背もたれ部１０は、フレーム５の前側に配置された背もたれ本体１１と、背もたれ本体１１の前面１１ａを覆う前面カバー１２と、フレーム５の後ろ側に配置されたホルダ１３とを有し、背もたれ本体１１は、背もたれ本体１１からフレーム５に向けて挿入された第１ねじ２１を用いて、フレーム５に支持され、第１ねじ２１の頭部２１ａは、前面カバー１２により覆われ、第１ねじ２１の先端部２１ｂは、ホルダ１３により覆われている。【選択図】図３
2018019930.tif 000002
【特許請求の範囲】
【請求項１】
背もたれ部と、前記背もたれ部を支持するフレームとを備える浴室用椅子であって、
前記背もたれ部は、前記フレームの前側に配置された背もたれ本体と、前記背もたれ本体の前面を覆う前面カバーと、前記フレームの後ろ側に配置されたホルダとを有し、
前記背もたれ本体は、前記背もたれ本体から前記フレームに向けて挿入された第１ねじを用いて、前記フレームに支持され、
前記第１ねじの頭部は、前記前面カバーにより覆われ、
前記第１ねじの先端部は、前記ホルダにより覆われている
浴室用椅子。
【請求項２】
前記ホルダは、前記ホルダの前面側において露出し、前記第１ねじに螺合する第１ナットを有し、
前記背もたれ本体は、前記第１ねじを前記第１ナットに螺合し、前記フレームを前記背もたれ本体と前記ホルダとの間に挟み込んだ状態で、前記フレームに支持される
請求項１に記載の浴室用椅子。
【請求項３】
前記ホルダは、樹脂材料により形成される樹脂部を有し、
前記第１ナットは、大径部と、前記大径部よりも径が小さい小径部とを有し、
前記大径部または前記小径部は、角柱状またはローレット状の側面をそれぞれ有しており、
前記大径部及び前記小径部の側面は、前記ホルダの樹脂部に覆われている
請求項２に記載の浴室用椅子。
【請求項４】
前記背もたれ本体は、さらに、前記背もたれ本体の後面側において露出する第２ナットを有し、前記フレームの後ろ側から前記背もたれ本体に向けて挿入された第２ねじを前記第２ナットに螺合させることで前記フレームに支持され、
前記第２ねじの頭部は、前記ホルダにより覆われ、
前記第２ねじの先端部は、前記背もたれ本体により覆われている
請求項１〜３のいずれか１項に記載の浴室用椅子。
【請求項５】
前記背もたれ本体は、樹脂材料により形成される樹脂部を有し、
前記第２ナットは、大径部と、前記大径部よりも径が小さい小径部とを有し、
前記大径部または前記小径部は、角柱状またはローレット状の側面をそれぞれ有しており、
前記大径部及び前記小径部の側面は、前記背もたれ本体の樹脂部に覆われている
請求項４に記載の浴室用椅子。
【請求項６】
前記浴室用椅子は、座部と、前記座部に接続されている第１脚部と、前記座部または前記第１脚部に回動可能に接続されている第２脚部とを備え、
前記フレームは、前記第１脚部に接続されている
請求項１〜５のいずれか１項に記載の浴室用椅子。
【請求項７】
前記座部は、自身の水平状態を維持するロック機構を備え、
前記背もたれ部の前記ホルダは、前記ロック機構を操作し、前記座部の水平状態を解除する解除操作部を備えている
請求項６に記載の浴室用椅子。
【発明の詳細な説明】
【技術分野】
【０００１】
本発明は、背もたれ部を有する浴室用椅子に関する。
【背景技術】
【０００２】
一般に、病人、老人及び身体障害者などは、入浴時に椅子に腰掛けて体を洗うのが好都合である。この入浴時に使用される椅子の一例として、背もたれ部を有する浴室用椅子が知られている（特許文献１参照）。
【０００３】
特許文献１に開示された浴室用椅子では、背もたれ部は、金属製パイプからなるフレームに固定されている。具体的には、フレームを挟むようにフレームの両側に背もたれ本体と取付金具とが配置され、取付金具側から背もたれ本体に向けてねじが挿入されることで、背もたれ部はフレームに固定されている。
【先行技術文献】
【特許文献】
【０００４】
【特許文献１】特開２００７−３７６０８号公報
【発明の概要】
【発明が解決しようとする課題】
【０００５】
しかしながら、特許文献１に開示された浴室用椅子では、背もたれ部の取付金具側においてねじの頭部が露出しているため、ねじの頭部に水垢が付いたり、抜けた毛が絡んだりして汚れが付着するという問題がある。
【０００６】
本発明は、背もたれ部におけるねじの露出を少なくし、汚れの付着を抑制する浴室用椅子を提供することを目的とする。
【課題を解決するための手段】
【０００７】
上記目的を達成するために、本発明の一態様に係る浴室用椅子は、背もたれ部と、前記背もたれ部を支持するフレームとを備える浴室用椅子であって、前記背もたれ部は、前記フレームの前側に配置された背もたれ本体と、前記背もたれ本体の前面を覆う前面カバーと、前記フレームの後ろ側に配置されたホルダとを有し、前記背もたれ本体は、前記背もたれ本体から前記フレームに向けて挿入された第１ねじを用いて、前記フレームに支持され、前記第１ねじの頭部は、前記前面カバーにより覆われ、前記第１ねじの先端部は、前記ホルダにより覆われている。
【発明の効果】
【０００８】
本発明の浴室用椅子は、背もたれ部におけるねじの露出を少なくし、汚れの付着を抑制することができる。
【図面の簡単な説明】
【０００９】
【図１】実施の形態１に係る浴室用椅子を示す斜視図である。
【図２】実施の形態１に係る浴室用椅子の背もたれ部を斜め後ろから見た図である。
【図３】図２に示す背もたれ部の分解斜視図である。
【図４Ａ】実施の形態１に係る背もたれ部の背もたれ本体を前側から見た図である。
【図４Ｂ】実施の形態１に係る背もたれ部の背もたれ本体を後ろ側から見た図である。
【図５】実施の形態１に係る背もたれ部のホルダの斜視図である。
【図６】実施の形態１のホルダに埋め込まれる第１ナットの斜視図である。
【図７】図２に示す背もたれ部をＶＩＩ−ＶＩＩ線で切断して矢印の方向から見た断面図である。
【図８】実施の形態１の変形例１に係る浴室用椅子を斜め後ろから見た図である。
【図９Ａ】実施の形態１の変形例２に係る浴室用椅子を示す斜視図である。
【図９Ｂ】実施の形態１の変形例２に係る浴室用椅子を横から見た断面図である。
【図９Ｃ】実施の形態１の変形例２に係る浴室用椅子の背面図である。
【図１０】実施の形態２に係る浴室用椅子を斜め後ろから見た図である。
【図１１】実施の形態２に係る浴室用椅子を横から見た断面図である。
【図１２】実施の形態２に係る浴室用椅子の座部を横から見た断面図である。
【図１３】実施の形態２に係る浴室用椅子の背もたれ部を斜め後ろから見た図である。
【図１４】実施の形態２に係る浴室用椅子の背もたれ部を横から見た断面図である。
【図１５】図１０に示すＸＶ部分の拡大図である。
【図１６】実施の形態２に係る浴室用椅子が折り畳まれた状態を示す図である。
【発明を実施するための形態】
【００１０】
以下、本実施の形態に係る浴室用椅子について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置、及び、接続形態などは、一例であって本発明を限定する主旨ではない。よって、以下の実施の形態における構成要素のうち、本発明の最上位概念を示す独立請求項に記載されていない構成要素については、任意の構成要素として説明される。なお、各図は、模式図であり、必ずしも厳密に図示されたものではない。
【００１１】
（実施の形態１）
以下、浴室用椅子の実施の形態１について、図面を参照しながら説明する。なお、下記説明において、各図面中に示すＸＹＺ座標軸を用いた説明を行う場合もある。また、Ｚ軸のプラス方向及びマイナス方向を、それぞれ、上及び下といい、Ｙ軸のプラス方向及びマイナス方向を、それぞれ、前及び後ろといい、Ｘ軸のプラス方向及びマイナス方向を、それぞれ、右及び左ということもある。
【００１２】
図１〜図７を参照しながら本実施の形態の浴室用椅子１について説明する。
【００１３】
図１は、浴室用椅子１を示す斜視図である。図２は、浴室用椅子１の背もたれ部１０を斜め後ろから見た図である。図３は、図２に示す背もたれ部１０の分解斜視図である。
【００１４】
浴室用椅子１は、図１に示すように、人が着座する座部４と、座部４を支える一対の前脚２及び一対の後脚３と、背もたれ部１０とを備えている。背もたれ部１０は、人体の後ろ側を支える部分であり、座部４の上側に位置するフレーム５に支持されている。フレーム５は、パイプ状であり、前脚２を構成するフレーム部材と接続され一体化されている。本実施の形態では、背もたれ部１０は、背中に当接する部分であるが、それに限られず、腰に当接する部分であってもよい。
【００１５】
［１．１  浴室用椅子の背もたれ部の構成］
まず、背もたれ部１０の構成について説明する。
【００１６】
背もたれ部１０は、図２及び図３に示すように、フレーム５の前側に配置された背もたれ本体１１と、背もたれ本体１１の前面１１ａを覆う前面カバー１２と、フレーム５の後ろ側に配置されたホルダ１３とを備えている。
【００１７】
フレーム５には、複数の貫通孔５ｃが設けられている。背もたれ本体１１は、貫通孔５ｃのそれぞれを貫通する第１ねじ２１及び第２ねじ２２と、第１ねじ２１及び第２ねじ２２に対応する第１ナット３１及び第２ナット３２とを用いてフレーム５に支持されている。本実施の形態では、貫通孔５ｃは３つ、第１ねじ２１及び第１ナット３１はそれぞれ２つ、第２ねじ２２及び第２ナット３２はそれぞれ１つである。
【００１８】
図４Ａは、背もたれ部１０の背もたれ本体１１を前側から見た図である。図４Ｂは、背もたれ本体１１を後ろ側から見た図である。また、図７は、図２に示す背もたれ部１０をＶＩＩ−ＶＩＩ線で切断して矢印の方向から見た断面図である。
【００１９】
背もたれ本体１１は、湾曲状の板であり、前面１１ａ及び後面１１ｂを有している。背もたれ本体１１の前面１１ａは、人体の背中に対応した形状をしている。背もたれ本体１１の後面１１ｂには、後面凹部１１ｅが形成されている。後面凹部１１ｅは、フレーム５の前側の面５ａに当接する部分である。
【００２０】
背もたれ本体１１には、前面１１ａから後面１１ｂに向かって座ぐり穴１１ｄが形成されている。この座ぐり穴１１ｄに第１ねじ２１が挿入される。本実施の形態では、２つの座ぐり穴１１ｄに２つの第１ねじ２１がそれぞれ挿入される。座ぐり部分の深さ寸法は、第１ねじ２１の頭部２１ａの高さ寸法よりも大きい。
【００２１】
背もたれ本体１１は、樹脂材料により形成される樹脂部１１ｈと、樹脂部１１ｈに埋め込まれている第２ナット３２とにより構成されている。
【００２２】
第２ナット３２は、フレーム５の後側の面５ｂから挿入される第２ねじ２２に螺合するナットであり、３つの貫通孔５ｃのうちの中央の貫通孔５ｃに対応する位置に設けられる。第２ナット３２は、軸方向の一方の端面３２ｅが、背もたれ本体１１の後面１１ｂ側に露出し、他方の端面３２ｅが前面１１ａ側に露出しないように樹脂部１１ｈのナット埋め込み部１１ｃに埋め込まれている。
【００２３】
また、背もたれ本体１１には、把持穴１１ｆ及び複数の嵌合穴１１ｇが形成されている。把持穴１１ｆは、浴室用椅子１を持ち運ぶ際に浴室用椅子１を把持するための穴である。嵌合穴１１ｇは、前面カバー１２を取り付けるための穴である。
【００２４】
前面カバー１２は、クッションであり、背もたれ本体１１の前面１１ａに取り付けられる。前面カバー１２は、汚れが落ちやすく、柔軟性を有する材料からなり、例えば、発泡プラスチック材料により形成される。
【００２５】
前面カバー１２は、前面１２ａ及び後面１２ｂと、後面１２ｂから突出する複数の突出部１２ｃと、背もたれ本体１１の把持穴１１ｆに対応する把持穴１２ｄとを有している。
【００２６】
前面カバー１２は、図３に示すように、突出部１２ｃが背もたれ本体１１の嵌合穴１１ｇに嵌合され、前面カバー１２の後面１２ｂが背もたれ本体１１の前面１１ａに当接することで、背もたれ本体１１に固定される。これにより、座ぐり穴１１ｄに挿入された第１ねじ２１の頭部２１ａが、前面カバー１２により覆われる。
【００２７】
図５は、背もたれ部１０のホルダ１３の斜視図である。
【００２８】
ホルダ１３は、パイプ状のフレーム５に覆い被さるＵ字状の断面形状をしており、Ｕ字状断面の内底が前面１３ａ、外底が後面１３ｂとなる向きに配置される。ホルダ１３の後面１３ｂは、貫通孔等が形成されておらず平滑であり、汚れが付着しにくい。ホルダ１３の前面１３ａは、フレーム５の後ろ側の面５ｂに当接する部分である。ホルダ１３がフレーム５に当接し固定される際、Ｕ字状断面の両端部１３ｆ、１３ｇは、背もたれ本体１１の後面１１ｂに密接し、ホルダ１３の内部に水垢等が侵入しにくいようになっている。
【００２９】
ホルダ１３の前面１３ａには、凹状の座ぐり１３ｄが形成されている。座ぐり１３ｄは、３つの貫通孔５ｃのうちの中央の貫通孔５ｃと対応する位置に形成される。座ぐり１３ｄの深さ寸法は、第２ねじ２２の頭部２２ａの高さ寸法よりも大きく、座ぐり１３ｄは、第２ねじ２２の頭部２２ａを覆っている。すなわち、第２ねじ２２の頭部２２ａは、ホルダ１３により覆われている。
【００３０】
ホルダ１３は、樹脂材料により形成される樹脂部１３ｅと、樹脂部１３ｅに埋め込まれている複数の第１ナット３１とにより構成されている。
【００３１】
複数の第１ナット３１は、背もたれ本体１１の前面１１ａから挿入される複数の第１ねじ２１に螺合するナットであり、３つの貫通孔５ｃのうちの両外側の貫通孔５ｃに対応する位置にそれぞれ設けられている。第１ナット３１は、軸方向の一方の端面３１ｅが、ホルダ１３の前面１３ａ側に露出し、他方の端面３１ｅが後面１３ｂ側に露出しないように樹脂部１３ｅのナット埋め込み部１３ｃに埋め込まれている。
【００３２】
ここで、第１ナット３１及び第２ナット３２の形状について、第１ナット３１を例に挙げて説明する。なお、第２ナット３２は、第１ナット３１と同様の構成を有している。
【００３３】
図６は、ホルダ１３に埋め込まれる第１ナット３１の斜視図である。
【００３４】
第１ナット３１は、柱状であり、大径部３１ａと、大径部３１ａよりも径が小さい小径部３１ｂと、軸方向に貫通する雌ねじ部３１ｆとを有している。大径部３１ａは、第１ナット３１の軸方向の両端部に設けられている。小径部３１ｂは、両端部の大径部３１ａの間に設けられている。大径部３１ａは角柱状であり、小径部３１ｂは円柱状である。なお、小径部３１ｂが角柱状で、大径部３１ａが円柱状であってもよい。大径部３１ａの側面３１ｃ、または、小径部３１ｂの側面３１ｄは、凹凸を有するローレット形状であってもよい。第１ナット３１は、樹脂部１３ｅを構成する樹脂材料とともに一体成形され、それぞれの側面３１ｃ、３１ｄが樹脂部１３ｅに覆われている。なお、第２ナット３２も大径部３２ａ及び小径部３２ｂを有し、大径部３２ａの側面３２ｃ及び小径部３２ｂの側面３２ｄが樹脂部１１ｈに覆われている。
【００３５】
図３及び図７に示すように、第２ねじ２２は、フレーム５の後ろ側の面５ｂから貫通孔５ｃを貫通して背もたれ本体１１に向けて挿入され、背もたれ本体１１の第２ナット３２に螺合される。また、第１ねじ２１は、背もたれ本体１１の前面１１ａからフレーム５に向けて挿入され、貫通孔５ｃを貫通し、ホルダ１３の第１ナット３１に螺合される。そして、背もたれ本体１１は、第１ねじ２１を第１ナット３１に締め付け螺合することで、ホルダ１３を背もたれ本体１１側に引き寄せる。これにより、背もたれ本体１１は、フレーム５を背もたれ本体１１とホルダ１３との間に挟み込んだ状態で、フレーム５に支持される。
【００３６】
本実施の形態に係る浴室用椅子１では、図７に示すように、第１ねじ２１の頭部２１ａが前面カバー１２により覆われ、第１ねじ２１の先端部２１ｂがホルダ１３により覆われている。また、第２ねじ２２の頭部２２ａがホルダ１３により覆われ、第２ねじ２２の先端部２２ｂが背もたれ本体１１により覆われている。すなわち、背もたれ部１０の前側及び後ろ側において、第１ねじ２１及び第２ねじ２２が露出しない構造となっている。これにより、背もたれ部１０において、水垢等の汚れが付着することを抑制することができる。
【００３７】
［１．２  浴室用椅子の座部及び前脚、後脚の構成］
次に、浴室用椅子１の座部４及び前脚２、後脚３について説明する。本実施の形態では、前脚２が第１脚部に相当し、後脚３が第２脚部に相当する。
【００３８】
浴室用椅子１は、前述したように、座部４と、前脚２及び後脚３と、前脚２の上に取り付けられている背もたれ部１０とを備えている。後脚３は、座部４の下側において、前脚２に対して回動自在に軸支されている。また、浴室用椅子１は、座部４と後脚３（具体的には後述する補強杆３６）とを連結するリンク６とを備えている。浴室用椅子１は、座部４、前脚２及び後脚３が折り畳み可能な構造をしている。
【００３９】
前脚２は、正面より見て略逆Ｕ字状に屈曲されるとともに、側方（つまり、右方向又は左方向）より見て略縦Ｚ字状に屈曲されたフレーム部材である。前脚２は、床面に略平行な水平部を有する。前脚２は、剛性部材で形成され、より具体的には、金属製パイプ、例えば、防錆性や軽量性が優れたアルミニウムパイプで形成されている。前脚２の下端部には、使用状態において床面に面接触する形状を有する脚ゴム２７が装着されている。
【００４０】
前脚２の対向する各水平部の中間部には、プラスチック製のヒンジブラケット２５がそれぞれ固定されている。また、図３に示すように、前脚２の対向する各水平部の前端部間には補強杆２６が溶着され、また、上記各水平部の後端部近傍間には補強杆２６１が溶着されている。補強杆２６及び２６１は、前脚２の構造を補強する機能を有する。
【００４１】
後脚３は、側方から見て略逆Ｌ字状に屈曲されたフレーム部材である。後脚３は、床面に略平行な水平部と、床面に略垂直な垂直部とを有する。後脚３は、前脚２と同様に、剛性部材、より具体的にはアルミニウムパイプで形成されている。後脚３の下端部には、使用状態において床面に面接触する形状を有する脚ゴム３７が装着されている。
【００４２】
後脚３の水平部は、前述した前脚２の水平部の下方に配置され、その先端部、すなわち、前端部には、ヒンジブラケット３５が固定されている。ヒンジブラケット３５は、前脚２に固定されたヒンジブラケット２５を支持するとともに、ヒンジピンＰを介してヒンジブラケット２５に連結されている。ヒンジピンＰを介した連結により、前脚２に対して左右一対の後脚３を互いに連動してヒンジピンＰ回りに回動させることができる。
【００４３】
ヒンジピンＰは、例えば、前脚２の接地部中心（脚ゴム２７の中心）及び後脚３の接地部中心（脚ゴム３７の中心）間を結ぶ線分を底辺とする二等辺三角形の頂点に位置するように設定される。ヒンジピンＰは、回動機構に相当する。
【００４４】
なお、後脚３の水平部と垂直部との対向する交差部近傍間には、補強杆３６が溶着されており、一対の後脚３を同調して作動させることができる（図３参照）。
【００４５】
なお、前脚２及び後脚３の材質は、アルミニウム以外に、鉄あるいはステンレスであってもよい。
【００４６】
座部４は、座本体４１と、クッション部４２とを備える。座本体４１は、略方形中空状のプラスチック製部材である。クッション部４２は、座本体４１に合致する形状に形成されて座本体４１の上面全体を覆う発泡プラスチック製のクッション部材である。なお、座本体４１及びクッション部４２には、両者を貫通する複数個の水抜き穴４ａが形成されている。
【００４７】
また、座本体４１は、その略中間部の後端寄りが、前述した前脚２の対向する水平部の後端部近傍間に溶着された補強杆２６１に回動自在に連結されており、また、その後端部がリンク６の一端部と回動自在に連結され、リンク６の他端部が、前述した後脚３の水平部と略垂直部との対向する交差部近傍間に溶着された補強杆３６に回動自在に連結されている。
【００４８】
したがって、座部４の前端部を把持して持ち上げると、座部４は、前脚２との軸支部（補強杆２６１）回りに時計回り方向に回動し、略垂直状態に格納することができる。このとき、座部４の後端部がリンク６の一端部により軸支され、また、リンク６の他端部が後脚３（補強杆３６）により軸支されていることから、座部４がリンク６を介して後脚３を押し下げ、後脚３をヒンジピンＰ回りに時計回り方向に回動させる。このため、前脚２に対して後脚３を接近させ、前脚２及び後脚３を閉脚することができる。
【００４９】
一方、座部４の前端部を把持して押し下げると、座部４は、前脚２との軸支部（補強杆２６１）回りに反時計回り方向に回動し、前脚２の補強杆２６に略水平状態に支持される。このとき、座部４がリンク６を介して後脚３を引き上げ、後脚３をヒンジピンＰ回りに反時計回り方向に回動させ、前脚２に対して後脚３を離隔させ、前脚２及び後脚３を開脚することができる。
【００５０】
以上の構成により浴室用椅子１は、使用状態において前脚２及び後脚３により滑ることなく自立するとともに、格納状態を維持しながら自立することができる。また、背もたれ部１０は、前脚２及び後脚３の開閉状態にかかわらず、背もたれ本体１１の前面１１ａが鉛直方向と略平行となる向きに維持される。これにより、浴室用椅子１は、背もたれ部１０に水垢等が滞留せず、汚れが付着しにくくなっている。
【００５１】
［１．３  まとめ］
以上のように本実施の形態における浴室用椅子１は、背もたれ部１０と、背もたれ部１０を支持するフレーム５とを備える浴室用椅子１であって、背もたれ部１０は、フレーム５の前側に配置された背もたれ本体１１と、背もたれ本体１１の前面を覆う前面カバー１２と、フレーム５の後ろ側に配置されたホルダ１３とを有し、背もたれ本体１１は、背もたれ本体１１からフレーム５に向けて挿入された第１ねじ２１を用いて、フレーム５に支持され、第１ねじ２１の頭部２１ａは、前面カバー１２により覆われ、第１ねじ２１の先端部２１ｂは、ホルダ１３により覆われている。
【００５２】
このように、背もたれ部１０をフレーム５に固定する第１ねじ２１の頭部２１ａが前面カバー１２により覆われ、第１ねじ２１の先端部２１ｂがホルダ１３により覆われているので、背もたれ部１０におけるねじの露出を少なくし、汚れの付着を抑制することができる。
【００５３】
例えば、ホルダ１３は、ホルダ１３の前面１３ａ側において露出し、第１ねじ２１に螺合する第１ナット３１を有し、背もたれ本体１１は、第１ねじ２１を第１ナット３１に螺合し、フレーム５を背もたれ本体１１とホルダ１３との間に挟み込んだ状態で、フレーム５に支持されていてもよい。
【００５４】
このように、第１ねじ２１を第１ナット３１に螺合させ、フレーム５を背もたれ本体１１とホルダ１３との間に挟みこんだ状態とすることで、背もたれ部１０を強固にフレーム５に固定することができる。
【００５５】
例えば、ホルダ１３は、樹脂材料により形成される樹脂部１３ｅを有し、第１ナット３１は、大径部３１ａと、大径部３１ａよりも径が小さい小径部３１ｂとを有し、大径部３１ａまたは小径部３１ｂは、角柱状またはローレット状の側面３１ｃ、３１ｄをそれぞれ有しており、大径部３１ａ及び小径部３１ｂの側面３１ｃ、３１ｄは、ホルダ１３の樹脂部１３ｅに覆われていてもよい。
【００５６】
このように、第１ナット３１が、大径部３１ａ及び小径部３１ｂを有しているので、第１ねじ２１と第１ナット３１とを螺合させた際に、第１ナット３１が樹脂部１３ｅから抜けることを防止できる。また、大径部３１ａまたは小径部３１ｂが、角柱状またはローレット状の側面３１ｃ、３１ｄを有しているので、第１ねじ２１と第１ナット３１とを螺合させた際に、第１ナット３１が回転することを防止できる。
【００５７】
例えば、背もたれ本体１１は、さらに、背もたれ本体１１の後面１１ｂ側において露出する第２ナット３２を有し、フレーム５の後ろ側から背もたれ本体１１に向けて挿入された第２ねじ２２を第２ナット３２に螺合させることでフレーム５に支持され、第２ねじ２２の頭部２２ａは、ホルダ１３により覆われ、第２ねじ２２の先端部２２ｂは、背もたれ本体１１により覆われていてもよい。
【００５８】
このように、第２ねじ２２及び第２ナット３２を用いることで、背もたれ部１０をさらに強固にフレーム５に固定することができる。また、第２ねじ２２の頭部２２ａがホルダ１３により覆われ、第２ねじ２２の先端部２２ｂが背もたれ本体１１により覆われているので、背もたれ部１０におけるねじの露出を少なくし、汚れの付着を抑制することができる。
【００５９】
例えば、背もたれ本体１１は、樹脂材料により形成される樹脂部１１ｈを有し、第２ナット３２は、大径部３２ａと、大径部３２ａよりも径が小さい小径部３２ｂとを有し、大径部３２ａまたは小径部３２ｂは、角柱状またはローレット状の側面３２ｃ、３２ｄをそれぞれ有しており、大径部３２ａ及び小径部３２ｂの側面３２ｃ、３２ｄは、背もたれ本体１１の樹脂部１１ｈに覆われていてもよい。
【００６０】
このように、第２ナット３２が、大径部３２ａ及び小径部３２ｂを有しているので、第２ねじ２２と第２ナット３２とを螺合させた際に、第２ナット３２が樹脂部１１ｈから抜けることを防止できる。また、大径部３２ａまたは小径部３２ｂが、角柱状またはローレット状の側面３２ｃ、３２ｄを有しているので、第２ねじ２２と第２ナット３２とを螺合させた際に、第２ナット３２が回転することを防止できる。
【００６１】
例えば、浴室用椅子１は、座部４と、座部４に接続されている第１脚部（前脚２）と、座部４または第１脚部に回動可能に接続されている第２脚部（後脚３）とを備え、フレーム５は、第１脚部に接続されていてもよい。
【００６２】
これによれば、折り畳み可能な浴室用椅子１において、背もたれ部１０におけるねじの露出を少なくし、汚れの付着を抑制することができる。
【００６３】
（実施の形態１の変形例１）
図８は、実施の形態１の変形例１に係る浴室用椅子１Ａを斜め後ろから見た図である。
【００６４】
変形例１に係る浴室用椅子１Ａは、肘掛１９２を有し、背もたれ部１０が肘掛１９２に繋がるフレーム５に支持されている。
【００６５】
図８に示すように、フレーム５は、座部４に接続された支柱１９１に、取付金具１９３を用いて固定されている。そして、支柱１９１に固定されたフレーム５に、背もたれ部１０および肘掛１９２が取り付けられている。また、前脚２及び後脚３は、座部４に固定され、開閉できない構造となっている。
【００６６】
本変形例においても、背もたれ部１０は、フレーム５の前側に配置された背もたれ本体１１と、背もたれ本体１１の前面を覆う前面カバー１２と、フレーム５の後ろ側に配置されたホルダ１３とを有し、背もたれ本体１１は、背もたれ本体１１からフレーム５に向けて挿入された第１ねじ２１を用いて、フレーム５に支持されている。そして、第１ねじ２１の頭部２２ａは前面カバー１２により覆われ、第１ねじ２１の先端部２１ｂは、ホルダ１３により覆われている。これにより、背もたれ部１０におけるねじの露出を少なくし、汚れの付着を抑制することができる。
【００６７】
（実施の形態１の変形例２）
図９Ａは、実施の形態１の変形例２に係る浴室用椅子１Ｂを示す斜視図である。図９Ｂは、浴室用椅子１Ｂを横から見た断面図である。図９Ｃは、浴室用椅子１Ｂの背面図である。
【００６８】
変形例２に係る浴室用椅子１Ｂは、背もたれ部１０が、実施の形態１に比べて低い位置に設けられている。すなわち、変形例２に係る浴室用椅子１Ｂは、背もたれ部１０が、背中ではなく腰に当たる腰当てとなっている。
【００６９】
本変形例においても、背もたれ部１０は、フレーム５の前側に配置された背もたれ本体１１と、背もたれ本体１１の前面を覆う前面カバー１２と、フレーム５の後ろ側に配置されたホルダ１３とを有し、背もたれ本体１１は、背もたれ本体１１からフレーム５に向けて挿入された第１ねじ２１を用いて、フレーム５に支持されている。そして、第１ねじ２１の頭部２２ａは前面カバー１２により覆われ、第１ねじ２１の先端部２１ｂは、ホルダ１３により覆われている。これにより、背もたれ部１０におけるねじの露出を少なくし、汚れの付着を抑制することができる。
【００７０】
（実施の形態２）
図１０は、実施の形態２に係る浴室用椅子１Ｃを斜め後ろから見た図である。図１１は、浴室用椅子１Ｃを横から見た断面図である。
【００７１】
実施の形態２に係る浴室用椅子１Ｃは、座部４に、自身の水平状態を維持するロック機構１０４が設けられ、背もたれ部１０Ａのホルダ１３に、座部４の水平状態を解除する解除操作部１０５が設けられている。
【００７２】
実施の形態２において、背もたれ部１０Ａは、フレーム５の前側に配置された背もたれ本体１１と、背もたれ本体１１の前面を覆う前面カバー１２と、フレーム５の後ろ側に配置されたホルダ１３とを有し、背もたれ本体１１は、背もたれ本体１１からフレーム５に向けて挿入された第１ねじ２１（図示省略）を用いて、フレーム５に支持されている。そして、第１ねじ２１の頭部２２ａ（図示省略）は前面カバー１２により覆われ、第１ねじ２１の先端部２１ｂ（図示省略）は、ホルダ１３により覆われている。これにより、背もたれ部１０Ａにおけるねじの露出を少なくし、汚れの付着を抑制することができる。
【００７３】
以下、浴室用椅子１Ｃのその他の構成と、ロック機構１０４及び解除操作部１０５について説明する。
【００７４】
浴室用椅子１Ｃは、一対の前脚２と一対の後脚３から構成されている。前脚２や後脚３のそれぞれは、中空のパイプで形成されている。前脚２は、その上部が後ろへ向けて水平に延出された水平部１３０を有し、水平部１３０の後端部からさらに上へ一体に延長して背もたれ支柱１１１が延設している。そして、一対の前脚２の各背もたれ支柱１１１の上端同士は、フレーム５に一体に接続されている。一対の前脚２は、一本のパイプを折り曲げ加工することで一体に作製される。また一対の各後脚３の上部は、前へ向けて延出された水平部１３２を有している。なお、以下において、前脚２及び後脚３を総称して脚部１００と呼ぶ場合がある。
【００７５】
上記の各前脚２の水平部１３０には、前ヒンジ１３３が取り付けられており、各後脚３の水平部１３２には、後ヒンジ１３４が取り付けられている。そして、前脚２の各前ヒンジ１３３の下側に各後脚３の後ヒンジ１３４を配置し、前ヒンジ１３３と後ヒンジ１３４を軸ピンからなる枢支部１１２で上下回動自在に枢着することによって、前脚２と後脚３とが回動自在に連結されている。前脚２と後脚３は、互いに離反して開く状態と、前脚２と後脚３の下端部同士が近接する状態との間で、折り畳み開閉自在に回動することができる。
【００７６】
各前脚２や各後脚３の下端には、浴室の床を傷つけたり、滑ったりすることを防ぐための脚ゴム２７、３７が装着されている。なお、前脚２と後脚３を枢着する上記の枢支部１１２は、前脚２と後脚３の下端の脚ゴム２７、３７を結ぶ線を底辺とする二等辺三角形の頂点に位置するように設定されている。
【００７７】
また、一対の前脚２の上端部間には、係合杆１３７が取り付けられており、一対の前脚２の水平部１３０の間には、枢支杆１３９が取り付けられている。さらに、一対の後脚３の上端部間には連結杆１３８が取り付けられており、各後脚３は連結杆１３８を介して一体化されている。脚部１００は、これらの係合杆１３７、連結杆１３８、枢支杆１３９により補強されている。
【００７８】
座部４は、図１１に示すように、硬質合成樹脂製の座本体１４７の上面に軟質発泡樹脂製の座クッション１４８が取り付けられることで形成され、座本体１４７の下面の後部寄り位置に、枢支筒部１４９が突設されている。この枢支筒部１４９の左右に貫通して設けた孔１４９ａに、上記の枢支杆１３９を挿通することで、座部４が脚部１００に取り付けられる。座部４は、この枢支杆１３９を回動中心として上下に回動され、座部４の下面に幅方向に亘って設けた凸条部１４０が係合杆１３７の上に載置される水平位置と、座部４の前端部が上方を向いて立ち上がる位置との間で、回動されるようになっている。また座部４の後端部の両側には、軸ピン１５０を用いて連結具１１０の一端部が上下方向に回動自在に枢着され、この一対の各連結具１１０の他端部は、上記の連結杆１３８に上下方向に回動自在に連結されている。このように座部４の後端部は、連結具１１０により後脚３に連結されている。
【００７９】
背もたれ部１０Ａは、図１１に示すように、硬質合成樹脂製の背もたれ本体１１の前面側に軟質発泡樹脂製の前面カバー（背もたれクッション）１２を取り付けて形成される。そして、前脚２の上部の背もたれ支柱１１１のフレーム５の前面側に背もたれ部１０Ａを配置し、背もたれ本体１１とホルダ１３との間にフレーム５を挟着することによって、背もたれ部１０Ａを取り付けている。把持穴１１ｆは、椅子を持ち運びする際に手を差し入れることができるように背もたれ部１０Ａに設けられた穴である。
【００８０】
座部４の下面には、ロック機構１０４が設けられている。ロック機構１０４は、図１１及び図１２に示すように、ロック具１５７と、ロック具１５７を覆うケーシング１５８とを備えている。ロック具１５７は、前部の上端両側に枢支軸１５９を、後部の下端にワイヤ連結部１６０を、枢支軸１５９とワイヤ連結部１６０の間の位置において下面に係合用凹部１６１を設けて形成されている。ロック具１５７は、枢支軸１５９を、座部４の下面に突設した枢支受け部１６２の軸穴に枢着することで、上下方向へ回動自在に取り付けられている。ケーシング１５８は、上面と前面が開口する箱状に形成されており、ケーシング１５８の前面開口からロック具１５７の係合用凹部１６１を露出させた状態で、ロック具１５７を下側から覆って、座部４の下面にボルトで取り付けられている。ロック具１５７の上面にはバネ１６３が取り付けられ、ロック具１５７は下方へ回動する方向にバネ１６３で付勢される。一方、ロック具１５７の下面がケーシング１５８の上面に当接することで、ロック具１５７は必要以上に下方へ回動しないようになっている。
【００８１】
また、背もたれ部１０Ａの背面には、図１３及び図１４に示すように、解除操作部１０５が設けられている。解除操作部１０５の操作具１０５ａは、軸穴１６４を設けた枢支部１６５にレバー片１６６を延設すると共に、レバー片１６６の基部にストッパー片１６７を下方へ突設して形成される。レバー片１６６には、上下に開口する貫通孔１１４が形成されている。この操作具１０５ａは、上記のホルダ１３に取着したピン１６８を軸穴１６４に差し込むことによって、ホルダ１３を介して背もたれ部１０Ａの背面に取り付けられる。操作具１０５ａは、ストッパー片１６７がホルダ１３の外面に当接する状態（図１１に示す状態）と、レバー片１６６が斜め上方へ引き上げられる状態の間で、上下回動自在になっている。
【００８２】
ロック機構１０４のロック具１５７と、操作具１０５ａとの間には、レリースワイヤ１０６が取り付けられている。レリースワイヤ１０６は、可撓性のチューブ１７０内にワイヤ１７１を挿通して形成される。すなわち、このレリースワイヤ１０６の一端において、チューブ１７０から突出するワイヤ１７１が、図１２のようにロック具１５７のワイヤ連結部１６０に連結固定されている。レリースワイヤ１０６は、ケーシング１５８の後端部のレリース導出開口１７２を通してケーシング１５８から導出され、レリースワイヤ１０６の中途部を座部４の下面に固定され、さらに一方の前脚２のパイプ内にレリースワイヤ１０６を差し込まれている。このレリースワイヤ１０６を背もたれ支柱１１１のパイプ内に通し、レリースワイヤ１０６の他端を導出して、図１２のようにチューブ１７０から突出するワイヤ１７１に連結する。これにより、ワイヤ１７１が操作具１０５ａに連結固定される。
【００８３】
また、前脚２と後脚３の間にはバネ１０７が、図１５に示すように取り付けられている。バネ１０７は、両端の係止用線部１０７ａ、１０７ｂとその間のコイル部１０７ｃとから成るねじりコイルバネとして形成され、コイル部１０７ｃを前脚２と後脚３とを枢支連結する軸ピンからなる枢支部１１２の外周に嵌めると共に、一方の係止用線部１０７ａを後脚３の後ヒンジ１３４に突設した後バネ受け部１７３に巻き付け係止し、他方の係止用線部１０７ｂを前脚２の前ヒンジ１３３に張り出して設けた前バネ受け部１７４に引掛け係止してある。従って、バネ１０７の弾性力は、前ヒンジ１３３、後ヒンジ１３４を介して前脚２と後脚３とに、枢支部１１２を中心にして前脚２と後脚３を閉じるように近接させる方向に回動させる力として作用する。
【００８４】
上記の浴室用椅子１Ｃは、脚部１００を開くと共に座部４を水平に回動させた状態で、座部４の上に腰掛けて使用される。このように、座部４を水平状態にすると、座部４の下面に設けた凸条部１４０（図１２参照）が前脚２間に架設した係合杆１３７（図１１参照）の上に載置されるが、凸条部１４０の下面には座部４の幅方向で凹条１７９が凹設してあり、この凹条１７９に係合杆１３７が嵌って、脚部１００に対して座部４が位置決めされる。そして、座部４をこのように水平状態へと下方へ回動させると、ロック機構１０４のロック具１５７が係合杆１３７の上に乗る。ロック具１５７の下面にはガイド傾斜面１８０が形成されており、座部４がさらに下方へ回動されて係合杆１３７に対してこのガイド傾斜面１８０が押圧されると、ロック具１５７はバネ１６３に抗して枢支軸１５９を中心に上方へ回動する。次いでバネ１６３の弾撥力によってロック具１５７は逆に下方へ回動して、係合杆１３７にロック具１５７の係合用凹部１６１が係合される。
【００８５】
このように、ロック機構１０４に設けたロック具１５７の係合用凹部１６１が脚部１００に設けた係合杆１３７に係合されることによって、脚部１００に対して座部４を係合することができ、座部４を水平状態に固定することができる。従って、座部４が不用意に上方へ回動して転倒するなどの事故を未然に防ぐことができる。
【００８６】
次に、浴室用椅子１Ｃを折り畳むにあたっては、まず、係合杆１３７に対するロック機構１０４のロック具１５７の係合を解除する。この係合解除は、図１４に示す背もたれ部１０Ａに設けた操作具１０５ａを操作することによって行なうことができる。すなわち、図１４のα矢印のように操作具１０５ａのレバー片１６６をピン１６８を中心にして上方へ回動させると、操作具１０５ａに接続したレリースワイヤ１０６のワイヤ１７１の一端が引っ張られる。このようにレリースワイヤ１０６のワイヤ１７１が引かれると、ワイヤ１７１の他端でロック具１５７が引かれ、ロック具１５７はバネ１６３に抗して上方へ回動され、係合杆１３７に対する係合用凹部１６１の係合が解除される。
【００８７】
このように、係合杆１３７に対するロック機構１０４の係合を解除して、脚部１００に対する座部４の係合固定を解除するにあたっては、上記のように背もたれ部１０Ａに設けた操作具１０５ａを操作することによって行なうことができる。そして、操作具１０５ａはこのように背もたれ部１０Ａという椅子の最高所に位置するので、かがみ込んだりする必要なく、立った楽な姿勢のまま操作具１０５ａを操作することができ、ロック機構１０４の係合解除の操作を容易に行なうことができる。しかも、操作具１０５ａのレバー片１６６を引き上げて上方へ回動させることによって操作を行なうことができるので、立った姿勢のまま腕を下げて指にレバー片１６６を引掛けることによって、操作具１０５ａを回動させる操作を容易に行なうことができる。
【００８８】
ここで、解除操作部１０５の操作を容易に行なうことができるように解除操作部１０５を背もたれ部１０Ａに設けることで、座部４の下面のロック機構１０４と解除操作部１０５との間の距離が大きくなるが、レリースワイヤ１０６がロック機構１０４と解除操作部１０５との間に設けてあるので、レリースワイヤ１０６という簡便な機構で、ロック機構１０４を解除操作部１０５によって遠隔操作することができる。
【００８９】
また、背もたれ部１０Ａの上端の中央部には後方へ張り出した上面が平坦な張り出し部１１３が設けてあり、図１３及び図１４に示すように解除操作部１０５はこの張り出し部１１３の直下の位置に配置してある。また張り出し部１１３と操作具１０５ａを片手で同時に掴めるように、張り出し部１１３に近い位置に操作具１０５ａを配置してある。例えば、張り出し部１１３の上面と操作具１０５ａのレバー片１６６の下面の間の距離が６〜９ｃｍ程度になるように設定するのが好ましい。従って、例えば片手の親指を張り出し部１１３の上に宛がった状態で、同じ片手の人差し指や中指などを操作具１０５ａのレバー片１６６の下側に引掛け、この片手を握るようにすることによって、操作具１０５ａを引き上げる操作をすることができ、強い力で、且つ片手だけの操作で、ロック機構１０４の係合解除を行なうことができる。
【００９０】
ここで、レバー片１６６には上記のように上下に開口する貫通孔１１４が形成してあるので、人差し指や中指などの指先をこの貫通孔１１４に下側から差し入れることによって、操作具１０５ａのレバー片１６６を引き上げる操作がより容易になる。また貫通孔１１４に差し入れる指の長さを調整することによって、手のひらの大きさに関係なく、張り出し部１１３と操作具１０５ａを片手で容易に掴むことができる。
【００９１】
上記のように操作具１０５ａを操作してロック機構１０４の係合を解除し、脚部１００に対する座部４の係合固定状態を解除すると、前脚２と後脚３を閉じる方向に回動付勢するバネ１０７が上記のように脚部１００に設けてあるので、バネ１０７の力で前脚２と後脚３は枢支部１１２を中心にして閉じる方向に自動的に回動する。そしてこのように前脚２と後脚３が閉じる方向へ回動すると、つまり前脚２に対して後脚３が接近する方向に回動すると、後脚３に連結具１１０によって連結されている座部４の後端部が下方へ引かれて下方へ回動し、座部４の前端部が立ち上がるように上方へ回動されることになり、脚部１００を折り畳むことができると共に座部４を立ち上げて折り畳むことができ、浴室用椅子１Ｃの折り畳みを行なうことができる。
【００９２】
ここで、上記のようにロック機構１０４の係合を解除する操作具１０５ａの操作は片手で行なうことができ、そしてロック機構１０４の係合を解除するとバネ１０７の作用で脚部１００の折り畳み回動と、座部４の折り畳み回動が自動的に行なわれるので、浴室用椅子１Ｃの折り畳みを片手だけで行なうことが可能になる。
【００９３】
このように浴室用椅子の折り畳みを行なうにあたって、既述のように、前脚２と後脚３を枢着する枢支部１１２が、前脚２と後脚３の下端を底辺とする二等辺三角形の頂点に位置するように設定されているので、前脚２と後脚３を折り畳んで狭めた状態でも、自立させることができるものであり、壁にもたれ掛けさせたりする必要なく収納することができる。
【００９４】
次に、このように折り畳んだ浴室用椅子１Ｃを使用するために開くにあたっては、図１６に示すように、後脚３の下端の脚ゴム３７を浴室の洗い場など床面８２に接地させた状態で、背方へ若干傾けて前脚２の下端を床面８２から浮かし、この状態で、背もたれ部１０Ａの上端の張り出し部１１３を下方へ押えることによって行なうことができる。すなわち張り出し部１１３の上面をａ矢印のように下方へ押えると、枢支部１１２を回動中心として背もたれ支柱１１１が下方へ回動されると共に、ｂ矢印のように前脚２が上方へ回動され、前脚２は後脚３から離れる方向に回動して、脚部１００が開く。そして座部４は連結具１１０を介して後脚３に連結されているので、このように前脚２と後脚３が開くように回動すると、これに連動して座部４がｃ矢印方向へと水平に倒れるように回動し、脚部１００と座部４を開いて、浴室用椅子１Ｃを使用状態に開くことができる。
【００９５】
このとき、背もたれ部１０Ａの張り出し部１１３を片手で掴んで、図１６のように後脚３の下端を床面８２に接地させると共に前脚２の下端を床面８２から浮かせた状態にし、このまま片手で張り出し部１１３を下方へ押えることによって、上記のように浴室用椅子１Ｃを開くことができ、片手だけで、浴室用椅子１Ｃを開く操作を容易に行なうことができる。
【００９６】
本実施の形態に係る浴室用椅子１Ｃでは、座部４は、自身の水平状態を維持するロック機構１０４を備え、背もたれ部１０Ａのホルダ１３は、ロック機構１０４を操作し、座部４の水平状態を解除する解除操作部１０５を備えている。
【００９７】
これによれば、座部４の水平状態を解除する解除操作部１０５が、ホルダ１３に備えられている場合であっても、背もたれ部１０Ａにおけるねじの露出を少なくし、汚れの付着を抑制することができる。
【００９８】
（その他）
以上、本発明に係る浴室用椅子について、上記実施の形態に基づいて説明したが、本発明は、上記の実施の形態に限定されるものではない。
【００９９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【０１００】
例えば、浴室用椅子１は、実施の形態１のように折り畳み可能であってもよいし、変形例１のように折り畳みできない構造であってもよい。
【０１０１】
また、実施の形態１におけるフレーム５は、前脚２を構成するフレーム部材と接続され一体化されているが、それに限られない。フレーム５は後脚３または座部４に接続固定されていてもよい。
【０１０２】
また、実施の形態１における背もたれ本体１１は、複数組の第１ねじ２１及び第１ナット３１と、１組の第２ねじ２２及び第２ナット３２によりフレーム５に支持されているが、それに限られない。背もたれ本体１１は、複数組の第１ねじ２１と第１ナット３１のみを用いてフレーム５に支持されていてもよい。また、第１ねじ２１及び第１ナット３１が１組で、第２ねじ２２及び第２ナット３２が複数組であってもよい。
【０１０３】
また、実施の形態１における背もたれ本体１１は、第１ねじ２１が第１ナット３１に螺合することで、フレーム５に固定されているが、それに限られず、第１ねじ２１を用いてフレーム５に直接ねじ止めしてもよい。その場合においても、第１ねじ２１の頭部２１ａが前面カバー１２により覆われ、第１ねじ２１の先端部２１ｂが、ホルダ１３により覆われることで、背もたれ部１０におけるねじの露出をなくし、汚れの付着を抑制することができる。
【符号の説明】
【０１０４】
１、１Ａ、１Ｂ、１Ｃ  浴室用椅子
２      第１脚部（前脚）
３      第２脚部（後脚）
４      座部
５      フレーム
１０、１０Ａ  背もたれ部
１１    背もたれ本体
１１ａ  前面
１１ｂ  後面
１１ｈ  樹脂部
１２    前面カバー
１３    ホルダ
１３ａ  前面
１３ｂ  後面
１３ｅ  樹脂部
２１    第１ねじ
２１ａ  頭部
２１ｂ  先端部
２２    第２ねじ
２２ａ  頭部
２２ｂ  先端部
３１    第１ナット
３１ａ  大径部
３１ｂ  小径部
３１ｃ、３１ｄ  側面
３２    第２ナット
３２ａ  大径部
３２ｂ  小径部
３２ｃ、３２ｄ  側面
１００  脚部
１０４  ロック機構
１０５  解除操作部
【図１】
2018019930.tif 000003
【図２】
2018019930.tif 000004
【図３】
2018019930.tif 000005
【図４Ａ】
2018019930.tif 000006
【図４Ｂ】
2018019930.tif 000007
【図５】
2018019930.tif 000008
【図６】
2018019930.tif 000009
【図７】
2018019930.tif 000010
【図８】
2018019930.tif 000011
【図９Ａ】
2018019930.tif 000012
【図９Ｂ】
2018019930.tif 000013
【図９Ｃ】
2018019930.tif 000014
【図１０】
2018019930.tif 000015
【図１１】
2018019930.tif 000016
【図１２】
2018019930.tif 000017
【図１３】
2018019930.tif 000018
【図１４】
2018019930.tif 000019
【図１５】
2018019930.tif 000020
【図１６】
2018019930.tif 000021